(57)【要約】【課題】表示装置と回路基板と補強部材とを一体化させて組立体とする際の、部品点数および組み立て工数の増加を回避することにある。【解決手段】筐体２と、筐体２内に配設された表示装置５と、表示装置５の背面の少なくとも一部を被覆して、表示装置５の背面に対向して筐体２内に配設された補強部材６と、補強部材６の、表示装置５を被覆する面とは反対側の面に対抗して筐体２内に配設された回路基板７と、を備える表示機器であって、表示装置５と回路基板７とは、表示装置５に備えられた係止部５ｃが、回路基板７に備えられた被係止部７ａを係止することにより、補強部材６を挟持することを特徴とするものである。【選択図】図１
2008181023.tif 000002
【特許請求の範囲】
【請求項１】
筐体と、
前記筐体内に配設された表示装置と、
前記表示装置の背面の少なくとも一部を被覆して、前記表示装置の背面に対向して前記筐体内に配設された補強部材と、
前記補強部材の、前記表示装置を被覆する面とは反対側の面に対向して前記筐体内に配設された回路基板と、を備え、
前記表示装置と前記回路基板とは、それら表示装置と回路基板との何れか一方に備えられた係止部が、それら表示装置と回路基板との他方に備えられた被係止部を係止することにより、前記補強部材を挟持する、ことを特徴とする表示機器。
【請求項２】
前記筐体内に配設され、一端部が前記表示装置と電気的に接続されるとともに、他端部が前記回路基板と電気的に接続され、かつ、前記表示装置の駆動に必要な駆動電圧を生成する昇圧回路が実装されたフレキシブルプリント基板をさらに備え、
前記フレキシブルプリント基板は、前記一端部から前記他端部にかけて前記表示装置から前記補強部材の、前記表示装置を被覆する側の面とは反対側の面側に回り込んで形成され、
前記フレキシブルプリント基板の、前記補強部材の反対側の面側に回り込んで形成された部位は、前記回路基板に当接される、ことを特徴とする請求項１記載の表示機器。
【請求項３】
前記回路基板は、前記フレキシブルプリント基板を跨いで延設された延出部を備え、
前記延出部には電子部品が実装される、ことを特徴とする請求項２記載の表示機器。
【請求項４】
前記補強部材は、金属で形成された金属部を備え、
前記回路基板と前記金属部とは、互いに電気的に接続されるとともに、それら回路基板と金属部との少なくとも一方が基準電位部に電気的に接続される、ことを特徴とする請求項１から請求項３までの何れか一項記載の表示機器。
【発明の詳細な説明】
【技術分野】
【０００１】
この発明は、表示装置と補強部材と回路基板とを筐体内に配設されて備える表示機器に関するものである。
【背景技術】
【０００２】
表示装置と補強部材と回路基板と筐体内に配設されて備える表示機器としては従来、例えば特許文献１記載の電子機器装置が知られており、この電子機器装置は筐体内に、ＬＣＤ表示器を搭載した表示装置としての第２のプリント基板と、補強部材としての金属フレームと、無線送受信部が設けられた回路基板としての第１のプリント基板とを備えるとともに、それら第２のプリント基板と金属フレームと第１のプリント基板とを互いに重ねた状態でそれらの両側部をそれぞれ挟持してそれらを圧着する断面コ字状の二個の弾性圧着具を備えて、それら第２のプリント基板と金属フレームと第１のプリント基板とを一体化させた組立体としている。
【特許文献１】特開平８−４６３８４号公報
【発明の開示】
【発明が解決しようとする課題】
【０００３】
しかしながら、上記従来の電子機器装置では、第２のプリント基板と金属フレームと第１のプリント基板とを一体化させて組立体を構成するために、断面コ字状の二個の弾性圧着具が必要であるため、部品点数および組み立て工数が増加してしまうという問題があった。
【課題を解決するための手段】
【０００４】
この発明は、上記課題を有利に解決することを目的とするものであり、この発明の表示機器は、筐体と、前記筐体内に配設された表示装置と、前記表示装置の背面の少なくとも一部を被覆して、前記表示装置の背面に対向して前記筐体内に配設された補強部材と、前記補強部材の、前記表示装置を被覆する面とは反対側の面に対向して前記筐体内に配設された回路基板と、を備え、前記表示装置と前記回路基板とは、それら表示装置と回路基板との何れか一方に備えられた係止部が、それら表示装置と回路基板との他方に備えられた被係止部を係止することにより、前記補強部材を挟持することを特徴としている。
【発明の効果】
【０００５】
かかる発明の表示機器にあっては、筐体内にそれぞれ配設された、表示装置と、その表示装置の背面の少なくとも一部を被覆して表示装置の背面に対向する補強部材の、表示装置を被覆する面とは反対側の面に対向する回路基板とが、それら表示装置と回路基板との何れか一方に設けられた係止部による、それらの他方に設けられた被係止部への係止によって補強部材を挟持することで、表示装置と回路基板とそれらの間の補強部材とが一体化されて組立体を構成する。
【０００６】
従って、この発明の表示機器によれば、表示装置と回路基板と補強部材とを一体化させて組立体とするために、断面コ字状の弾性圧着具等の別部材を用いる必要がないので、部品点数および組み立て工数の増加を回避することができる。
【発明を実施するための最良の形態】
【０００７】
以下、本発明の実施の形態を実施例によって、図面に基づき詳細に説明する。ここに、図１は、この発明の表示機器の一実施例としての折畳式携帯電話機の、表示側筐体の内部構成を示す分解斜視図であり、図２（ａ），（ｂ）は、その実施例の折畳式携帯電話機の全体を、表示側筐体と文字入力側筐体とを相互に開いた状態でフロントケース側およびリアケース側から見てそれぞれ示す斜視図であり、図３は、上記実施例の折畳式携帯電話機の表示側筐体に組み込まれるサブＬＣＤホルダーを単体で示す正面図であり、図４（ａ），（ｂ），（ｃ）は、上記実施例の折畳式携帯電話機の表示側筐体に組み込まれるＬＣＤユニットにサブＬＣＤホルダーで保持したサブＬＣＤを組み付けた状態を示す正面図、背面図および、その正面図中のＡ−Ａ線に沿う断面図であり、そして図５（ａ），（ｂ），（ｃ），（ｄ）は、上記実施例の折畳式携帯電話機の表示側筐体をリアケース側から見た背面図、その表示側筐体をリアケースを除いた状態で示す背面図、それらの背面図中のＢ−Ｂ線に沿う断面図および、（ａ）中のＣ−Ｃ線に沿う断面図である。なお、図中、符号１はこの実施例の折畳式携帯電話機を示している。
【０００８】
この実施例の折畳式携帯電話機１は、図２に示すように、表示側筐体２（筐体）と文字入力側筐体３とを備え、表示側筐体２は、フロントケース２ａとリアケース２ｂとが相互に嵌合されるとともにケース固定用ネジで固定されて構成され、また、文字入力側筐体３も、フロントケース３ａとリアケース３ｂとが相互に嵌合されるとともにケース固定用ネジで固定されて構成されている。そしてこれら表示側筐体２と文字入力側筐体３とは、ヒンジ部４を介して相互に開閉自在に連結されており、さらに表示側筐体２はヒンジ部４に、当該折畳式携帯電話機１の長手方向に延在する軸線周りに１８０度反転可能に連結されている。
【０００９】
表示側筐体２は、図１に示すように、フロントケース２ａの外側に、スイッチボタンの内容を表示するスイッチボタン表示ケース２ｃを搭載したトリムプレート２ｄが嵌着されるとともに、フロントケース２ａとリアケース２ｂとの内部に、表示装置としてのメインＬＣＤ５と、補強部材および金属部としての金属製のフレーム６と、回路基板としての回路基板７と、非導電性の例えばゴム状弾性部材で形成されたここでは図示しないサブＬＣＤホルダー（図３に示すサブＬＣＤホルダー８）と、サブＬＣＤ９とを、フロントケース２ａ側から上記の順で内蔵しており、メインＬＣＤ５は、フロントケース２ａからトリムプレート２ｄを介して外部から視認可能とされ、その一方、サブＬＣＤ９は、リアケース２ｂの中央部の透明窓２ｅを介して外部から視認可能とされている。また回路基板７には、スピーカ等の各種電子部品が実装されて電気的に接続されている。
【００１０】
一方、文字入力側筐体３は、フロントケース３ａとリアケース３ｂとの内部に、図示しない回路基板を内蔵するとともに、その回路基板に重ねて通電部材および電磁シールド部材としての金属製の図示しないシールドケースを内蔵しており、そのシールドケースには、複数のキースイッチを搭載した図示しないキーフレキシブル基板（キーＦＰＣ）が重ねられている。そしてそのキーＦＰＣには、図示しないキーシートが重ねて配置され、そのキーシートの上記キースイッチと対向する位置には操作キー１１がそれぞれ配置され、この操作キー１１がフロントケース３ａから表出している。また上記回路基板には、マイク等の各種電子部品が実装されて電気的に接続されている。
【００１１】
ここで、メインＬＣＤ５は、ＬＣＤ本体５ａの一端部（図１では左方端部）から延出するとともにその上にＬＣＤ本体５ａの駆動用の図示しない昇圧回路を実装したフレキシブルプリント基板（ＦＰＣ）５ｂと、ＬＣＤ本体５ａの背面側（図１では下方）に突出する、係止部としての三箇の爪５ｃとを有している。またフレーム６は、正面（図１では上向きの面）側にＬＣＤ本体５ａが嵌まり込む凹部６ａを有するとともに、背面（図１では下向きの面）側に回路基板７が嵌まり込む凹部６ｂを有し、さらにＬＣＤ本体５ａの三箇の爪５ｃに対応する位置にそれぞれ貫通孔６ｃを有している。そして回路基板７は、ＬＣＤ本体５ａの三箇の爪５ｃに対応する外周縁位置にそれぞれ形成された、被係止部としての浅い切り欠き状の係合部７ａを有している。
【００１２】
これにより、図４に示すように、ＬＣＤ本体５ａがフレーム６の凹部６ａ内に嵌まり込むとともに、回路基板７がフレーム６の凹部６ｂ内に嵌まり込んだ状態で、ＬＣＤ本体５ａの三箇の爪５ｃがフレーム６の三個の貫通孔６ｃをそれぞれ貫通して、回路基板７の外周縁の三箇所の係合部７ａに嵌り合って回路基板７と係合し、ＬＣＤ本体５ａとフレーム６と回路基板７とが一体化されて組立体としてのＬＣＤユニット１０を構成する。
【００１３】
そしてそのＬＣＤユニット１０の組立状態では、メインＬＣＤ５のＦＰＣ５ｂは、図４および図５に示すように、ＬＣＤ本体５ａの背面側（図５（ｃ）では上方）に折り曲げられていて、フレーム６の凹部６ｂ内に位置してＬＣＤ本体５ａの背面側に対向する対向部５ｄを有しており、そのＦＰＣ５ｂの対向部５ｄから側方に突出する側部５ｅは、さらに回路基板７の外側（図４（ａ）では紙面上方側）に折り返されていて、ＬＣＤ本体５ａは、その折り返されたＦＰＣ５ｂの側部５ｅに設けられたコネクター５ｆと基板７上のコネクター７ｂとが互いに対向して接続される。これにより、メインＬＣＤ５は、回路基板７と電気的に接続されている。
【００１４】
一方、サブＬＣＤ９は、ＬＣＤ本体９ａの一側部（図１では手前側の側部）から延出するフレキシブルプリント基板（ＦＰＣ）９ｂを有しており、そのＦＰＣ９ｂ上にはＬＣＤ本体９ａの駆動用の電子回路９ｃが実装されている。またサブＬＣＤホルダー８は、図３に示すように、中央部にサブＬＣＤ９を嵌着されて保持する保持孔８ａと、長手方向に延出する非導電部としてのＦＰＣ押さえ部８ｂと、側方に延出するコネクター保護部８ｃと、フレーム６や回路基板７への固定部８ｄとを有して、図４に示すように、サブＬＣＤ９をその表示面（図４では紙面上方へ向く面）の全部または大部分を露出させた状態で保持する。そして、サブＬＣＤ９のＬＣＤ本体９ａは、図４に示すように、固定部８ｄのフレーム６への嵌着および回路基板７へのねじ止め等で固定されたサブＬＣＤホルダー８を介してＬＣＤユニット１０に搭載され、そのサブＬＣＤ９のＦＰＣ９ｂは、サブＬＣＤホルダー８のコネクター保護部８ｃ上に延在し、コネクター保護部８ｃの先端を越えた位置で折り曲げられてコネクター保護部８ｃと回路基板７との間に挟まれ、その挟まれた先端部９ｄに設けられたコネクター９ｅと基板７上のコネクター７ｃとが互いに対向して接続される。これにより、サブＬＣＤ９は、回路基板７と電気的に接続されている。
【００１５】
かかるＬＣＤユニット１０は、この実施例の折畳式携帯電話機１が組み立てられた状態では、図５に示すように、表示側筐体２のリアケース２ｂ内に嵌め込まれて表示側筐体２内に配設されており、この状態では、図５（ｃ）に示すように、弾性部材で形成されたサブＬＣＤホルダー８がサブＬＣＤ９のＬＣＤ本体９ａを保持しつつ、メインＬＣＤ５の背面側に位置するフレーム６の凹部６ｂの底面に向けて附勢されて配置され、そのサブＬＣＤホルダー８のＦＰＣ押さえ部８ｂが、ＦＰＣ５ｂの一部をなす、メインＬＣＤ５の背面側に対向する対向部５ｄに当接し、その対向部５ｄをメインＬＣＤ５の背面側に位置するフレーム６の底部に押さえ付けて、メインＬＣＤ５のＬＣＤ本体５ａの駆動に必要な駆動電圧を生成する昇圧回路が実装されたＦＰＣ５ｂの当該昇圧回路により生成される駆動電圧に起因する振動に基づいて発生する表示側筐体２内での音鳴りを抑制している。さらに、サブＬＣＤホルダー８のＦＰＣ押さえ部８ｂの、メインＬＣＤ５のＦＰＣ５ｂの対向部５ｄに対向する面が、ＬＣＤ本体５ａの背面側（図１では下方）に対向するとともに、その面と反対側の面が、表示側筐体２のリアケース２ｂの内面と当接し、これによってもＦＰＣ押さえ部８ｂが、メインＬＣＤ５の背面側に附勢されるとともにＦＰＣ５ｂの対向部５ｄをフレーム６の凹部６ｂの底面に押さえ付けて、ＦＰＣ５ｂの振動に起因する表示側筐体２内での音鳴りを抑制している。
【００１６】
またこの実施例では、回路基板７はフレーム６から突出する延在部７ｄを有するとともに、その延在部７ｄの先端部に部品搭載部７ｅを有していて、それら延在部７ｄと部品搭載部７ｅとが前記延出部を構成しており、その延在部７ｄは、ＬＣＤユニット１０に組み立てられた状態ではＦＰＣ５ｂの対向部５ｄを跨いで延在し、対向部５ｄをフレーム６の凹部６ｂの底に押さえ付けている。そして部品搭載部７ｅは、折畳式携帯電話機１の先端部に位置するので、図５（ｄ）に示すように、その部品搭載部７ｅには、赤外線通信（ＩＲＤＡ）モジュール７ｇおよびイヤースピーカー用コネクター７ｈが両面に振り分けられて搭載されている。このように折畳式携帯電話機１の表示側筐体２の先端部にＩＲＤＡモジュール７ｇを搭載することにより、他の通信機器と好適に赤外線通信ができることになり、また同様に、折畳式携帯電話機１の表示側筐体２の先端部にイヤースピーカー用コネクター７ｈを搭載することにより、表示側筐体２の先端部に位置することが通常であるイヤーピーカーと回路基板７とを容易に電気的に接続することができる。なお、この部品搭載部７ｅに搭載される電子部品は、これらＩＲＤＡモジュール７ｇやイヤースピーカー用コネクター７ｈに限定されるものでなく、他の電子部品であっても良い。
【００１７】
さらにこの実施例では、回路基板７の、フレーム６に向く面（図1では上向きの面）の両側部に並んだ、高さの揃った多数の半田凸部７ｆを有しており、これらの半田凸部７ｆは何れも、回路基板７上の基準電位部であるグランドパターンに電気的に接続されるとともに、ＬＣＤユニット１０の組立状態ではＬＣＤ本体５ａの三箇の爪５ｃと回路基板７との係合により、フレーム６の凹部６ｂの底面に当接してフレーム６に電気的に接続されている。
【００１８】
さらにこの実施例では、サブＬＣＤホルダー８のＦＰＣ押さえ部８ｂに開口部８ｅが形成されており、一方、サブＬＣＤホルダー８のその開口部８ｅの、保持孔８ａ寄りの端部に隣接する、回路基板７の端部には、図示しない発光ダイオード（ＬＥＤ）が搭載され、またサブＬＣＤホルダー８の開口部８ｅに対応する、表示側筐体２のリアケース２ｂの中央部には図示しない透光窓が設けられており、着信時等にそのＬＥＤが発光し、その光をリアケース２ｂの上記透光窓を介して見ることができる。
【００１９】
かかるこの実施例の折畳式携帯電話機１にあっては、表示側筐体２内に、メインＬＣＤ５のＬＣＤ本体５ａと、そのＬＣＤ本体５ａの背面の全体を被覆してＬＣＤ本体５ａの背面に対向するフレーム６と、そのフレーム６の、ＬＣＤ本体５ａを被覆する面とは反対側の面である凹部６ｂの底面に対向する回路基板７とがそれぞれ配設され、ＬＣＤ本体５ａに設けられた三箇の爪５ｃによる、回路基板７の三箇所の係合部７ａでの回路基板７の係止によって、ＬＣＤ本体５ａと回路基板７とがフレーム６を挟持することで、メインＬＣＤ５と回路基板７とそれらの間のフレーム６とが一体化して組立体としてのＬＣＤユニット１０を構成する。
【００２０】
従って、この実施例の折畳式携帯電話機１によれば、メインＬＣＤ５と回路基板７とフレーム６とを一体化させてＬＣＤユニット１０とするために、断面コ字状の弾性圧着具等の別部材を用いる必要がないので、部品点数および組み立て工数の増加を回避することができる。
【００２１】
また、この実施例の折畳式携帯電話機１によれば、表示側筐体２内に配設され、一端部がＬＣＤ本体５ａと電気的に接続されるとともに、他端部が回路基板７と電気的に接続され、かつＬＣＤ本体５ａの駆動に必要な駆動電圧を生成する昇圧回路が実装されたＦＰＣ５ｂをさらに備え、そのＦＰＣ５ｂが、上記一端部から上記他端部にかけてＬＣＤ本体５ａからフレーム６の、ＬＣＤ本体５ａを被覆する側の面とは反対側の凹部６ｂの底面側に回り込んで形成され、そのＦＰＣ５ｂの、凹部６ｂの底面側に回り込んで形成された部位である対向部５ｄは、回路基板７の延在部７ｄに当接されているので、ＦＰＣ５ｂの当該昇圧回路により生成される駆動電圧に起因する振動に基づいて発生する表示側筐体２内での音鳴りを好適に抑制することができ、しかもＦＰＣ５ｂがＬＣＤ本体５ａの背面側に回り込んで形成されることから、その回り込んで湾曲している部位に延在部７ｄに向かう弾性力が生じるので、ＦＰＣ５ｂと回路基板７の延在部７ｄとが好適に当接し、この点からもＦＰＣ５ｂの当該昇圧回路により生成される駆動電圧に起因する振動に基づいて発生する表示側筐体２内での音鳴りを好適に抑制することができる。
【００２２】
さらに、この実施例の折畳式携帯電話機１によれば、回路基板７は、ＦＰＣ５ｂの対向部５ｄを跨いで延設された延出部としての延在部７ｄと部品搭載部７ｅとを備え、そのうちの部品搭載部７ｅには電子部品が実装されるので、回路基板７を有効に活用することができる。
【００２３】
そして、この実施例の折畳式携帯電話機１によれば、フレーム６は、全体的に金属で形成されており、回路基板７とフレーム６とは、回路基板７の両側部に整列した多数の半田凸部７ｆを介して互いに電気的に確実に接続されるとともに、その半田凸部７ｆが設けられた基準電位部としてのグランドパターンに電気的に接続されるので、回路基板７の静電対策を好適に図ることができるとともに、回路基板7の支持強度の向上も好適に図ることができる。
【００２４】
以上、図示例に基づき説明したが、この発明は上述の例に限定されるものでなく、特許請求の範囲の記載範囲内で適宜変更し得るものであり、例えばこの発明の表示機器は、携帯電話機以外の、例えばパームトップコンピュータやゲーム機等の携帯電子装置にも、あるいはそれ以外の電子装置にも適用することができる。
【００２５】
また、上述した実施例ではフレーム全体を金属製としたが、回路基板７と当接する部分のみ金属製の金属部とし、残りの部分を例えば硬質プラスチック等で形成して、その金属部を例えばインサート成型等により残りの部分と一体化させても良い。さらに、メインＬＣＤ５およびサブＬＣＤ９の代わりに有機型電子発光表示装置（ＯＬＥＤ）を用いても良い。
【産業上の利用可能性】
【００２６】
かくしてこの発明の表示機器によれば、表示装置と回路基板と補強部材とを一体化させて組立体とするために、断面コ字状の弾性圧着具等の別部材を用いる必要がないので、部品点数および組み立て工数の増加を回避することができる。
【図面の簡単な説明】
【００２７】
【図１】この発明の表示機器の一実施例としての折畳式携帯電話機の、表示側筐体の内部構成を示す分解斜視図である。
【図２】（ａ），（ｂ）は、上記実施例の折畳式携帯電話機の全体を、表示側筐体と文字入力側筐体とを相互に開いた状態でフロントケース側およびリアケース側から見てそれぞれ示す斜視図である。
【図３】上記実施例の折畳式携帯電話機の表示側筐体に組み込まれるサブＬＣＤホルダーを単体で示す正面図である。
【図４】（ａ），（ｂ），（ｃ）は、上記実施例の折畳式携帯電話機の表示側筐体に組み込まれるＬＣＤユニットにサブＬＣＤホルダーで保持したサブＬＣＤを組み付けた状態を示す正面図、背面図および、その正面図中のＡ−Ａ線に沿う断面図である。
【図５】（ａ），（ｂ），（ｃ），（ｄ）は、上記実施例の折畳式携帯電話機の表示側筐体をリアケース側から見た背面図、その表示側筐体をリアケースを除いた状態で示す背面図、それらの背面図中のＢ−Ｂ線に沿う断面図および、（ａ）中のＣ−Ｃ線に沿う断面図である。
【符号の説明】
【００２８】
１  折畳式携帯電話機
２  表示側筐体
２ａ  フロントケース
２ｂ  リアケース
２ｃ  スイッチボタン表示ケース
２ｄ  トリムプレート
２ｅ  透明窓
３  文字入力側筐体
３ａ  フロントケース
３ｂ  リアケース
４  ヒンジ部
５  メインＬＣＤ
５ａ  ＬＣＤ本体
５ｂ  ＦＰＣ
５ｃ  爪
５ｄ  対向部
５ｅ  側部
５ｆ  コネクター
６  フレーム
６ａ，６ｂ  凹部
６ｃ  貫通孔
７  回路基板
７ａ  係合部
７ｂ，７ｃ  コネクター
７ｄ  延在部
７ｅ  部品搭載部
７ｆ  半田凸部
７ｇ  ＩＲＤＡモジュール
７ｈ  イヤースピーカー用コネクター
８  サブＬＣＤホルダー
８ａ  保持孔
８ｂ  ＦＰＣ押さえ部
８ｃ  コネクター保護部
８ｄ  固定部
８ｅ  開口部
９  サブＬＣＤ
９ａ  ＬＣＤ本体
９ｂ  ＦＰＣ
９ｃ  電子回路
９ｄ  先端部
９ｅ  コネクター
１０  ＬＣＤユニット
１１  操作キー
【図１】
2008181023.tif 000003
【図２】
2008181023.tif 000004
【図３】
2008181023.tif 000005
【図４】
2008181023.tif 000006
【図５】
2008181023.tif 000007